(57)【要約】【課題】ビデオテープから光ディスクへのデータのダビングにおいて、番組毎に煩雑な手動操作を行う必要がなく、また光ディスクにおける番組単位の編集作業を容易に実行できるようにする。【解決手段】コントロールヘッド１は、ビデオテープからコントロール信号を読み出し、コントロール信号用アンプ２でコントロール信号が増幅される。デューティ検出回路３は、増幅されたコントロール信号のデューティを検出し、その検出結果に従って番組の変更を判別して、ビデオテープに記録された記録データにおける番組の変更を判別して番組変更情報を作成する。記録データ作成回路４は、デューティ検出回路３による番組変更情報に基づいて番組のタイトルデータを生成する。記録データ書き込み回路５は、記録データ作成回路４から入力したタイトルデータを映像／音声データとともに光ディスクに書き込む。【選択図】        図１
2004185728.tif 000002
【特許請求の範囲】
【請求項１】
ビデオテープから読み出した映像／音声による記録データを、光ディスクにダビングできるようにしたビデオ／光ディスク一体型記録再生装置において、該ビデオ／光ディスク一体型記録再生装置は、ビデオテープの走行をコントロールするためのコントロール信号のデューティを検出し、該検出結果に従って番組の変更を判別して番組変更情報を作成するデューティ検出手段と、該デューティ検出手段による前記番組変更情報に基づいて光ディスクに記録するための番組のタイトルデータを生成する記録データ作成手段とを有し、前記記録データ書き込み手段は、前記記録データ作成手段から入力したタイトルデータを映像／音声データとともに光ディスクに書き込むことを特徴とするビデオ／光ディスク一体型記録再生装置。
【請求項２】
請求項１に記載のビデオ／光ディスク一体型記録再生装置において、前記デューティ検出手段は、番組の先頭部における前記コントロール信号のデューティと、該先頭部を除くコントロール信号のデューティとの違いから、前記番組の変更を判別することを特徴とするビデオ／光ディスク一体型記録再生装置。
【請求項３】
請求項１または２に記載のビデオ／光ディスク一体型記録再生装置において、該ビデオ／光ディスク一体型記録再生装置は、ビデオテープから前記コントロール信号を読み出すコントロールヘッドと、該コントロールヘッドで読み出したコントロール信号を増幅するコントロール信号用アンプとを有し、前記デューティ検出手段は、前記コントロール信号用アンプで増幅されたコントロール信号を入力して、該コントロール信号のデューティを検出することを特徴とするビデオ／光ディスク一体型記録再生装置。
【発明の詳細な説明】
【０００１】
【発明の属する技術分野】
本発明は、ビデオ／光ディスク一体型記録再生装置、より詳細には、ビデオテープを記録媒体としてデータの記録再生を行うビデオ記録再生機能と、ＤＶＤ等光ディスクを記録媒体としてデータの記録再生を行う光ディスク記録再生機能とを備え、ビデオテープの記録データを光ディスクにダビングできるビデオ／光ディスク一体型記録再生装置に関する。
【０００２】
【従来の技術】
図４は、ビデオ記録再生部と光ディスク記録再生部とを備えるビデオ／光ディスク一体型記録再生装置を概念的に説明するための図である。ビデオテープを記録媒体としてデータの記録再生を行うビデオ記録再生部１０と、ＤＶＤ等光ディスクを媒体としてデータの記録再生を行う光ディスク記録再生部２０とを備え、ビデオテープの記録データを光ディスクにダビングできる機能を持ったビデオ／光ディスク一体型記録再生装置が提供されている。ダビングにおいては、ビデオ記録再生部１０から映像信号及び音声信号が読み出されて、光ディスク記録再生部２０に転送され、これら映像信号及び音声信号によるデジタルデータが光ディスクに記録される。
【０００３】
ビデオ／光ディスク一体型記録再生装置では、ビデオテープに記録されたデータを光ディスクにダビングしたときに、編集し易いようにタイトル等の番組情報を書き込む処理を通常行う。この場合、従来のビデオ／光ディスク一体型記録再生装置においては、１つのビデオ番組が終了する度に、ビデオ再生の停止及び光ディスクの記録停止を手動で行う必要があった。そして、次の番組を記録するために、ビデオ再生と光ディスクの記録再開を手動で行う必要があった。
【０００４】
【発明が解決しようとする課題】
すなわち、従来のビデオ／光ディスク一体型記録再生装置では、ビデオ番組が変わる度にビデオ記録再生部と光ディスク記録再生部とを一旦停止し、さらに記録再開を手動で行う必要があった。例えば、一本のビデオテープに多数の番組が記録され、これら多数の番組を全て光ディスクにダビングする場合、ユーザは上記のような手動操作を何度も行う必要があり、ユーザにとっては非常に面倒であり、使い勝手の点で問題があった。
【０００５】
本発明は、上述のごとき実情に鑑みてなされたものであり、自動的にビデオ番組の切り替わりを検出し、これを光ディスクに記録する機能を備えることにより、ビデオテープから光ディスクへのデータのダビングにおいて、番組毎に煩雑な手動操作を行う必要がなく、光ディスクにおける番組単位の消去や移動等の編集作業を容易に実行できるようにしたビデオ／光ディスク一体型記録再生装置を提供することを目的とするものである。
【０００６】
【課題を解決するための手段】
本発明の第１の技術手段は、ビデオテープから読み出した記録データを、光ディスクにダビングできるようにしたビデオ／光ディスク一体型記録再生装置において、ビデオ／光ディスク一体型記録再生装置が、ビデオテープの走行をコントロールするためのコントロール信号のデューティを検出し、検出結果に従って番組の変更を判別して、ビデオテープに記録された記録データにおける番組の変更を判別して番組変更情報を作成するデューティ検出手段と、デューティ検出手段による番組変更情報に基づいて光ディスクに記録するための番組のタイトルデータを生成する記録データ作成手段とを有し、記録データ書き込み手段は、記録データ作成手段から入力したタイトルデータを光ディスクに書き込むことを特徴とする。
【０００７】
本発明の第２の技術手段は、第１の技術手段において、デューティ検出手段は、番組の先頭部における前記コントロール信号のデューティと、先頭部を除くコントロール信号のデューティとの違いから、番組の変更を判別することを特徴とする。
【０００８】
本発明の第３の技術手段は、第１または第２の技術手段において、ビデオ／光ディスク一体型記録再生装置が、ビデオテープからコントロール信号を読み出すコントロールヘッドと、コントロールヘッドで読み出したコントロール信号を増幅するコントロール信号用アンプとを有し、デューティ検出回路は、コントロール信号用アンプで増幅されたコントロール信号を入力して、コントロール信号のデューティを検出することを特徴とする。
【０００９】
【発明の実施の形態】
図１は本発明のビデオ／光ディスク一体型記録再生装置の１実施例を説明するためのブロック図で、ビデオ／光ディスク一体型記録再生装置において本発明に関わる部分の回路ブロックを示すものである。本実施例は、ビデオのコントロールヘッド１，コントロール信号用アンプ２，デューティ検出回路３，記録データ作成回路４、及び記録データ書き込み回路５を有し、コントロールヘッド１，コントロール信号用アンプ２，及びデューティ検出回路３は、記録されたビデオデータに対して機能するビデオ部を構成し、記録データ作成回路４，及び記録データ書き込み回路５は、ビデオに記録されたデータを光ディスクに記録する光ディスクレコーダ部を構成する。
【００１０】
上記の装置において、デューティ検出回路３は、ビデオテープの走行をコントロールするためのコントロール信号のデューティを検出し、その検出結果に従って番組の変更を判別して番組変更情報を作成するデューティ検出手段として機能する。記録データ作成回路４は、デューティ検出回路３による番組変更情報に基づいて番組のタイトル情報を生成する記録データ作成手段として機能する。また記録データ書き込み回路５は、記録データ作成回路４から入力したタイトル情報を光ディスクに書き込む記録データ書き込み手段として機能する。
【００１１】
ビデオテープには、コントロール信号と呼ばれるパルス信号が記録されている。このコントロール信号は、再生時にテープの走行をコントロールするために用いられている。ビデオテープによるビデオ再生時には、コントロール信号がコントロールヘッド１から出力される。但し、出力されたコントロール信号は、そのままでは振幅が不十分であるため、コントロール信号用アンプ２で十分な振幅になるように増幅される。増幅されたコントロール信号は、パルスのデューティの変化を検出するデューティ検出回路３に送られる。
【００１２】
コントロールパルス信号のデューティ変更とその検出について説明する。ここでは１連の記録データを番組と呼ぶことにする。複数の番組が記録されたビデオテープにおいて、番組再生時または再生の停止時に、その前後の任意の番組の頭出しを行うことができるようにするために、番組の先頭部分のコントロール信号のデューティを変更することが一般的に行われる。すなわち、番組の先頭部分を他の部分と区別できるように、番組データを記録するときに、コントロール信号のパルスのデューティを記録の開始時から所定期間変更する。
【００１３】
図２及び図３は、コントロール信号のデューティ変更設定例を説明するための図で、通常の記録再生時のパルスを図２に、また番組の記録開始時のパルスを図３に示すものである。図２の通常の記録再生時は、相対的に正のパルス幅ａが長く、負のパルス幅ｂが短い設定になっている。すなわち、正のパルス幅ａ＞負のパルス幅ｂとなっている。
【００１４】
これに対して、図３の記録の開始時は、逆に正のパルス幅ａが相対的に短く、負のパルス幅ｂの方が長い設定になっている。すなわち、正のパルス幅ａ＜負のパルス幅ｂとなっている。上記のごとくのパルス幅の変更をビデオテープの早送りや巻き戻しの時に検出して、番組の開始部分を判別することにより、番組の頭出しを行うことができる。
【００１５】
デューティ検出回路３は、ビデオテープに記録されたデータを光ディスクにダビングするときに、ビデオのコントロール信号のデューティ変化を検出し、その検出に従って番組が切り替わったことを示す番組変更情報を記録データ作成回路４に送る。
【００１６】
記録データ作成回路４では、光ディスクにおける番組情報であるタイトルを更新し、番組ナンバーをカウントアップし、これらデータを光ディスクに記録するためのタイトルデータとして記録データに盛り込む。
記録データ作成回路４には、ビデオテープから読み出されて増幅・復調された後、Ａ／Ｄ変換された映像信号及び音声信号がデジタル記録データとして入力される。デューティ検出回路３で検出された番組の変更情報に基づいて作成された上記のタイトルデータは、記録データ作成回路４で上記のデジタル記録データに付加されて、記録データ書き込み回路５にて光ディスクに記録される。
【００１７】
上述の処理によって、ビデオテープに記録されたデータを光ディスクにダビングするときに、自動的に光ディスクの番組情報であるタイトルデータが更新されて記録されるため、ダビング後において番組単位の消去、移動などの編集を容易に行うことができるようになる。
【００１８】
なお、現実には、光ディスクに対して番組データを記録する際、タイトルの更新時は一旦光ディスクの記録を停止し、番組の映像音声データとは別にタイトルデータを光ディスクに書き込む必要があるが、この場合でも、デューティ検出回路３によって番組の変更を検知することにより、自動的にビデオテープと光ディスクとを連動させて、これらの再生、停止、記録などを行うことができるので、ユーザに余計な操作をし得るものではない。
【００１９】
【発明の効果】
以上の説明から明らかなように、本発明によれば、ビデオテープに記録されたデータを光ディスクにダビングするときに、番組毎に煩わしい操作を必要とせずに、自動的に光ディスクの番組情報であるタイトルデータが更新されて記録されるので、ダビング後に番組単位の消去、移動などの編集が容易になる。
【図面の簡単な説明】
【図１】本発明のビデオ／光ディスク一体型記録再生装置の１実施例を説明するためのブロック図である。
【図２】コントロール信号のデューティ変更設定例を説明するための図である。
【図３】コントロール信号のデューティ変更設定例を説明するための図である。
【図４】ビデオ記録再生部と光ディスク記録再生部とを備えるビデオ／光ディスク一体型記録再生装置を概念的に説明するための図である。
【符号の説明】
１…コントロールヘッド、２…コントロール信号用アンプ、３…デューティ検出回路、４…記録データ作成回路、５…記録データ書き込み回路、１０…ビデオ記録再生部、２０…光ディスク記録再生部。
【図１】
2004185728.tif 000003
【図２】
2004185728.tif 000004
【図３】
2004185728.tif 000005
【図４】
2004185728.tif 000006